【手続補正書】
【提出日】平成17年4月20日(2005.4.20)
【手続補正１】
【補正対象書類名】明細書
【補正対象項目名】特許請求の範囲
【補正方法】変更
【補正の内容】
【特許請求の範囲】
【請求項１】
車両の現在位置を検出する現在位置検出手段と、
目的地を指示する目的地指示手段と、
地図をストアする地図メモリと、
表示手段と、
現在位置検出手段と目的地指示手段との出力に応答し、現在位置から目的地までの経路を地図データに基づいて探索する経路探索制御手段とを備えるナビゲーション装置において、
地域を選択して入力し、選択信号を出力する選択手段と、
地域に対応する郵便番号の少なくとも一部をストアする郵便番号メモリと、
選択手段からの選択信号に応答し、選択信号によって選択された地域の郵便番号の少なくとも一部を郵便番号メモリから読出して表示手段によって表示する郵便番号制御手段とを含むことを特徴とするナビゲーション装置。
【請求項２】
選択手段は、
表示手段の表示画面上に重なって配置され、表示画面上の座標位置を入力する偏平な透光性を有するスイッチング手段と、
表示手段によって表示されている地域の位置で、スイッチング手段を操作することによって、その操作された位置の地域を選択する信号を出力する選択信号出力手段とを含むことを特徴とする請求項１記載のナビゲーション装置。
【請求項３】
郵便番号のうち、選択手段によって選択された地域に対応する郵便番号の一部に後続する残余の番号を入力する番号入力手段とを含み、
郵便番号制御手段は、郵便番号メモリから読出した地域の郵便番号の前記一部を、番号入力手段によって入力された残余の番号に付加して構成される郵便番号を表す信号を導出して表示手段の画面に表示することを特徴とする請求項１または２記載のナビゲーション装置。
【請求項４】
郵便番号メモリには、複数の各国に含まれる地域に対応する郵便番号の少なくとも一部をストアし、
選択手段は、国を選択して入力して選択信号を出力し、
郵便番号制御手段は、選択信号によって選択された国に含まれる地域の郵便番号の少なくとも一部を郵便番号メモリから読出して表示手段によって表示することを特徴とする請求項１〜３のうちの１つに記載のナビゲーション装置。
【請求項５】
車両の現在位置を検出する現在位置検出手段と、
目的地を指示する目的地指示手段と、
地図をストアする地図メモリと、
表示手段と、
地図メモリにストアされた地図を表示手段によってその表示手段の表示画面に表示し、現在位置検出手段と目的地指示手段との出力に応答し、現在位置から目的地までの経路を地図上で探索し、探索して得られた経路を表示手段によって地図上に表示する経路探索制御手段とを備えるナビゲーション装置において、
郵便番号の少なくとも一部を入力する入力手段を備え、
地図メモリには、郵便番号の少なくとも一部と、その郵便番号の少なくとも一部によって表される地域の地図とを対応付けてストアし、
表示手段は、郵便番号の少なくとも一部を入力することによって、その入力された郵便番号の少なくとも一部に対応した地図を地図メモリから読出して表示画面に表示することを特徴とするナビゲーション装置。
【請求項６】
目的地指示手段は、前記地図メモリから読出された地図に対応する位置を目的地として指示することを特徴とする請求項５記載のナビゲーション装置。
【請求項７】
現在位置を検出する現在位置検出手段と、
目的地を指示する目的地指示手段と、
地図をストアする地図メモリと、
表示手段と、
現在位置検出手段と目的地指示手段との出力に応答し、現在位置から目的地までの経路を地図データに基づいて探索する経路探索制御手段とを備えるナビゲーション装置において、
地域を選択して入力し、選択信号を出力する選択手段と、
地域に対応する郵便番号の少なくとも一部をストアする郵便番号メモリと、
選択手段からの選択信号に応答し、選択信号によって選択された地域の郵便番号の少なくとも一部を郵便番号メモリから読出して表示手段によって表示する郵便番号制御手段とを含むことを特徴とするナビゲーション装置。
【請求項８】
現在位置を検出する現在位置検出手段と、
目的地を指示する目的地指示手段と、
地図をストアする地図メモリと、
表示手段と、
地図メモリにストアされた地図を表示手段によってその表示手段の表示画面に表示し、現在位置検出手段と目的地指示手段との出力に応答し、現在位置から目的地までの経路を地図上で探索し、探索して得られた経路を表示手段によって地図上に表示する経路探索制御手段とを備えるナビゲーション装置において、
郵便番号の少なくとも一部を入力する入力手段を備え、
地図メモリには、郵便番号の少なくとも一部と、その郵便番号の少なくとも一部によって表される地域の地図とを対応付けてストアし、
表示手段は、郵便番号の少なくとも一部を入力することによって、その入力された郵便番号の少なくとも一部に対応した地図を地図メモリから読出して表示画面に表示することを特徴とするナビゲーション装置。
【手続補正２】
【補正対象書類名】明細書
【補正対象項目名】００１４
【補正方法】変更
【補正の内容】
【００１４】
また本発明は、車両の現在位置を検出する現在位置検出手段と、
目的地を指示する目的地指示手段と、
地図をストアする地図メモリと、
表示手段と、
地図メモリにストアされた地図を表示手段によってその表示手段の表示画面に表示し、現在位置検出手段と目的地指示手段との出力に応答し、現在位置から目的地までの経路を地図上で探索し、探索して得られた経路を表示手段によって地図上に表示する経路探索制御手段とを備えるナビゲーション装置において、
郵便番号の少なくとも一部を入力する入力手段を備え、
地図メモリには、郵便番号の少なくとも一部と、その郵便番号の少なくとも一部によって表される地域の地図とを対応付けてストアし、
表示手段は、郵便番号の少なくとも一部を入力することによって、その入力された郵便番号の少なくとも一部に対応した地図を地図メモリから読出して表示画面に表示することを特徴とするナビゲーション装置である。
【手続補正３】
【補正対象書類名】明細書
【補正対象項目名】００１５
【補正方法】変更
【補正の内容】
【００１５】
本発明に従えば、郵便番号の少なくとも一部、たとえば上位１桁または上位２桁の数値を入力することによって、その郵便番号の前記少なくとも一部に対応した地域の地図が、地図メモリから読出され、経路探索結果が表示される表示手段と同一の表示画面に表示することができる。こうして目的地の指示を容易に行うことができる。このような郵便番号の少なくとも一部を入力するための入力手段が備えられ、この入力手段の操作に応答し、地図メモリから郵便番号の前記少なくとも一部に対応した地域を表す地図を地図メモリから読出して表示手段によって表示する。
【手続補正４】
【補正対象書類名】明細書
【補正対象項目名】００１６
【補正方法】変更
【補正の内容】
【００１６】
また本発明は、目的地指示手段は、前記地図メモリから読出された地図に対応する位置を目的地として指示することを特徴とする。
【手続補正５】
【補正対象書類名】明細書
【補正対象項目名】００１７
【補正方法】変更
【補正の内容】
【００１７】
本発明に従えば、目的地の指示のために、入力手段を用いて郵便番号の少なくとも一部を入力し、これによって上述のようにその入力された郵便番号の少なくとも一部に対応した地域を表す地図が表示されて目的地が指示される。こうして目的地の指示を容易に行うことができる。
また本発明は、現在位置を検出する現在位置検出手段と、
目的地を指示する目的地指示手段と、
地図をストアする地図メモリと、
表示手段と、
現在位置検出手段と目的地指示手段との出力に応答し、現在位置から目的地までの経路を地図データに基づいて探索する経路探索制御手段とを備えるナビゲーション装置において、
地域を選択して入力し、選択信号を出力する選択手段と、
地域に対応する郵便番号の少なくとも一部をストアする郵便番号メモリと、
選択手段からの選択信号に応答し、選択信号によって選択された地域の郵便番号の少なくとも一部を郵便番号メモリから読出して表示手段によって表示する郵便番号制御手段とを含むことを特徴とするナビゲーション装置である。
本発明に従えば、ナビゲーション装置では、地図メモリから読出された地図上に、現在位置検出手段によって検出された現在位置から目的地指示手段によって指示された目的地までの経路を経路探索制御手段によって探索して液晶または陰極線管などの２次元表示手段の表示画面に目視表示する。
特に本発明に従えば、選択手段を用いて、郵便番号を知りたい地域を選択する。この選択手段は、前述の先行技術に関連して述べたＡ〜Ｚのアルファベットキーまたはキーボードなどとは異なり、後述の図５および図８に示されるテーブルリストによって選択して操作し、または図６および図９の地図によって選択して操作する。これによって入力操作が簡便になり、地域の入力操作がきわめて容易になる。こうして選択手段によって地域が選択されて入力されると、郵便番号制御手段は、郵便番号メモリから郵便番号を読出して表示手段によって表示する。
操作者は、この表示手段によって表示された郵便番号を目で見て、たとえば郵便物に筆記具たとえばボールペンなどを用いて郵便番号を記載して表示することができる。またこの郵便番号をメモリのストア内容によって、たとえば７桁の郵便番号のうち、比較的広い地域を表す上位桁、たとえば上位１桁または上位２桁を表示することができる。これによって郵便番号の全桁を記憶する負担をできるだけ軽減することができる。
また本発明は、現在位置を検出する現在位置検出手段と、
目的地を指示する目的地指示手段と、
地図をストアする地図メモリと、
表示手段と、
地図メモリにストアされた地図を表示手段によってその表示手段の表示画面に表示し、現在位置検出手段と目的地指示手段との出力に応答し、現在位置から目的地までの経路を地図上で探索し、探索して得られた経路を表示手段によって地図上に表示する経路探索制御手段とを備えるナビゲーション装置において、
郵便番号の少なくとも一部を入力する入力手段を備え、
地図メモリには、郵便番号の少なくとも一部と、その郵便番号の少なくとも一部によって表される地域の地図とを対応付けてストアし、
表示手段は、郵便番号の少なくとも一部を入力することによって、その入力された郵便番号の少なくとも一部に対応した地図を地図メモリから読出して表示画面に表示することを特徴とするナビゲーション装置である。
本発明に従えば、郵便番号の少なくとも一部、たとえば上位１桁または上位２桁の数値を入力することによって、その郵便番号の前記少なくとも一部に対応した地域の地図が、地図メモリから読出され、経路探索結果が表示される表示手段と同一の表示画面に表示することができる。このような郵便番号の少なくとも一部を入力するための入力手段が備えられ、この入力手段の操作に応答し、地図メモリから郵便番号の前記少なくとも一部に対応した地域を表す地図を地図メモリから読出して表示手段によって表示する。
【手続補正６】
【補正対象書類名】明細書
【補正対象項目名】００３１
【補正方法】変更
【補正の内容】
【００３１】
【発明の効果】
請求項１の本発明によれば、たとえば郵便物を郵送しようとする人は、その郵送しようとして検索したい、おおよその地域さえ判っていれば、郵便番号の少なくとも上位桁を忘れていても、または知らなくても、たとえば車両に搭載されたナビゲーション装置を利用して、検索することができる。しかもその地域は、たとえばテーブルまたは地図などの選択によって入力することができるので、操作性が良好であり、車両に搭載されたナビゲーション装置における操作性を向上することができ、安全運転の観点から、好ましい。経路探索結果が表示される表示手段の表示画面をそのまま利用して、郵便番号を表示することができ、構成の簡略化を図ることができるという効果もある。
【手続補正７】
【補正対象書類名】明細書
【補正対象項目名】００３５
【補正方法】変更
【補正の内容】
【００３５】
請求項５の本発明によれば、郵便番号の少なくとも一部を入力することによって、地図メモリから、その郵便番号の少なくとも一部に対応した地図を読出して表示手段の表示画面に表示することができる。
【手続補正８】
【補正対象書類名】明細書
【補正対象項目名】００３６
【補正方法】変更
【補正の内容】
【００３６】
請求項６の本発明によれば、郵便番号の少なくとも一部を入力することによって、地図メモリから地図を読出して、目的地として指示することができるので、操作性が良好である。したがって車両に搭載されるナビゲーション装置において、安全運転の観点から好ましい。
請求項７の本発明によれば、おおよその地域さえ判っていれば、郵便番号の少なくとも上位桁を忘れていても、または知らなくても、ナビゲーション装置を利用して、検索することができる。しかもその地域は、たとえばテーブルまたは地図などの選択によって入力することができるので、操作性が良好であり、ナビゲーション装置における操作性を向上することができる。経路探索結果が表示される表示手段の表示画面をそのまま利用して、郵便番号を表示することができ、構成の簡略化を図ることができるという効果もある。
請求項８の本発明によれば、郵便番号の少なくとも一部を入力することによって、地図メモリから、その郵便番号の少なくとも一部に対応した地図を読出して表示手段の表示画面に表示することができる。